(57)【要約】      （修正有）【課題】ワークの厚さにバラツキがあってもワークの印刷面に均一な厚さの導体ペーストを塗布することができる電極印刷装置を提供する。【解決手段】ワークＷの押し面Ｗ２側に押し付け手段２の押圧部２ａを接触させて、ワークＷをマスク版１に向け押し付けることにより、押し面Ｗ２の傾斜角度に倣って押圧部２ａが傾斜する。このため、マスク版１に対する押し付け力は、ワークＷの印刷面Ｗ１側が基準となり、ワークＷの印刷面Ｗ１がマスク版１に沿って平行に密着する。この密着状態で、塗布手段３をマスク版１に沿って移動させることにより、導体ペーストＰがワークＷの印刷面Ｗ１に沿って均一な厚さで塗布される。【選択図】図１
2015157412.tif 000002
【特許請求の範囲】
【請求項１】
ワークに電極を印刷して形成する電極印刷装置であって、
前記ワークの印刷面と対向するように設けられるマスク版と、
前記マスク版に向け前記ワークの前記印刷面を押し付けるために前記印刷面と反対の押し面側と接触するように設けられる押し付け手段と、
前記ワークの前記印刷面に前記電極用の導体ペーストを塗布するために前記マスク版に沿って移動自在に設けられる塗布手段と、を備え、
前記押し付け手段は、前記ワークの数と同数配置され、前記ワークの前記押し面に倣って傾斜する押圧部を有することを特徴とする電極印刷装置。
【請求項２】
前記押し付け手段が、前記マスク版に対する前記ワークの押し付け方向へ伸縮変形する弾性体を有することを特徴とする請求項１記載の電極印刷装置。
【請求項３】
複数の前記ワークに対応して同数の前記押し付け手段をそれぞれ個別に配置することを特徴とする請求項１又は２記載の電極印刷装置。
【請求項４】
着脱自在にセットされたワークに電極を印刷して形成する電極印刷方法であって、
マスク版に向け前記ワークの印刷面を押し付けるために前記印刷面と反対の押し面側と接触する押し付け手段で押し付ける押圧工程と、
前記マスク版に沿って塗布手段を移動させて前記ワークの前記印刷面に前記電極用の導体ペーストを塗布する塗布工程と、を含み、
前記押圧工程では、前記ワークの数と同数配置された前記押し付け手段の押圧部を、前記ワークの前記押し面に倣って傾斜させ、前記ワークの前記印刷面が前記マスク版に沿って前記マスク版と平行になるように押し付けることを特徴とする電極印刷方法。
【請求項５】
前記押圧工程と前記塗布工程が行われた後に、前記ワークを表裏反転してセットし直し、その後に前記押圧工程と前記塗布工程を順次行うことを特徴とする請求項４記載の電極印刷方法。
【発明の詳細な説明】
【技術分野】
【０００１】
本発明は、例えば焼結体などからなるワークに電極を印刷して形成するために用いられる電極印刷装置及び電極印刷方法に関する。
【背景技術】
【０００２】
従来、この種の印刷装置及び印刷方法として、上下移動可能なステージの凹部内にプリント基板を嵌め込んで、プリント基板の裏面が吸引により密着固定されたまま、ステージを上方へと移動させて、メタルマスクと被印刷体であるプリント基板の表面とが密着される。この状態で、スキージを印刷方向へと移動させることにより、メタルマスクの開口部を介してプリント基板の表面にクリームはんだを刷り込むものがある（例えば、特許文献１参照）。
【先行技術文献】
【特許文献】
【０００３】
【特許文献１】特開２００４−１４８６４４号公報
【発明の概要】
【発明が解決しようとする課題】
【０００４】
ところで、一般的にプリント基板を含めて電極が形成されるワークは、その厚さにミリメートル単位以下のレベルで多少のバラツキがあり、ワークの表裏両面が完全な平行でなく多少傾斜しているものもある。また加工されたバッチ毎によってもワークの厚さにバラツキが生じてしまう。
しかし乍ら、このような従来の印刷装置及び印刷方法では、ステージの上方移動によりプリント基板の裏面側が基準となってプリント基板の表面（印刷面）をメタルマスクに押し付け、クリームはんだが印刷されている。
このため、プリント基板において裏面に対する表面の厚さに部分的なバラツキや傾斜又はプリント基板毎の厚さのバラツキがあると、プリント基板において厚い部位の表面はメタルマスクに密着するが、プリント基板において薄い部位の表面はメタルマスクに密着せず、両者間に隙間が生じる。この状態でスキージを移動しても、プリント基板において厚い部位の表面には、クリームはんだが均一な厚さで塗布されるものの、プリント基板において薄い部位の表面には、クリームはんだが厚く塗布されて、塗布厚さにバラツキが生じてしまう。
このように不均一な厚さのクリームはんだを焼成などの加熱処理することで、変形不能な電極が形成された場合には、塗布厚さが必要以上に厚くなると、電極にひび割れが発生して剥離し易くなる。また、熱電変換素子などのように、電極が形成されたワークを複数のエレメントに切断分離すると、エレメント毎に電極の厚さが微妙な異なるため、性能に悪影響を与えるおそれがあった。
それにより、電極形成の制御性が低下するとともに、電極形成の再現性も低下するという問題があった。
さらに、プリント基板において薄い部位の表面とメタルマスクとの間に隙間が生じるため、スキージの移動でクリームはんだを印刷すると、隙間からクリームはんだがはみ出て、印刷パターンをメタルマスクの開口部と正確に一致させることができず、電極形成の印刷精度が低下するという問題もあった。
そこで、このような問題点を解決するために、プリント基板の表面（印刷面）と裏面がミリメートル単位以下のレベルでも平行となるように切削、研削、ラップなどの精密加工を施すことが考えられる。しかし、この場合には、プリント基板毎に精密加工が必要になるため、電極形成に時間を要してコスト高になる。
【０００５】
本発明は、このような問題に対処することを課題とするものであり、ワークの厚さにバラツキがあってもワークの印刷面に均一な厚さの導体ペーストが塗布可能な電極印刷装置及び電極印刷方法を提供すること、などを目的とするものである。
【課題を解決するための手段】
【０００６】
このような目的を達成するために本発明による電極印刷装置は、ワークに電極を印刷して形成する電極印刷装置であって、前記ワークの印刷面と対向するように設けられるマスク版と、前記マスク版に向け前記ワークの前記印刷面を押し付けるために前記印刷面と反対の押し面側と接触するように設けられる押し付け手段と、前記ワークの前記印刷面に前記電極用の導体ペーストを塗布するために前記マスク版に沿って移動自在に設けられる塗布手段と、を備え、前記押し付け手段は、前記ワークの数と同数配置され、前記ワークの前記押し面に倣って傾斜する押圧部を有することを特徴とする。
また本発明による電極印刷方法は、着脱自在にセットされたワークに電極を印刷して形成する電極印刷方法であって、マスク版に向け前記ワークの印刷面を押し付けるために前記印刷面と反対の押し面側と接触する押し付け手段で押し付ける押圧工程と、前記マスク版に沿って塗布手段を移動させて前記ワークの前記印刷面に前記電極用の導体ペーストを塗布する塗布工程と、を含み、前記押圧工程では、前記ワークの数と同数配置された前記押し付け手段の押圧部を、前記ワークの前記押し面に倣って傾斜させ、前記ワークの前記印刷面が前記マスク版に沿って前記マスク版と平行になるように押し付けることを特徴とする。
【発明の効果】
【０００７】
前述した特徴を有する本発明による電極印刷装置及び電極印刷方法は、ワークの押し面側に押し付け手段の押圧部を接触させて、ワークをマスク版に向け押し付けることにより、押し面の傾斜角度に倣って押圧部が傾斜する。このため、マスク版に対する押し付け力は、ワークの印刷面側が基準となり、ワークの印刷面がマスク版に沿って平行に密着する。この密着状態で、塗布手段をマスク版に沿って移動させることにより、導体ペーストがワークの印刷面に沿って均一な厚さで塗布される。
したがって、ワークの厚さにバラツキがあってもワークの印刷面に均一な厚さの導体ペーストを塗布することができる。
その結果、ステージの上方移動によりプリント基板の裏面側が基準となってプリント基板の表面（印刷面）をメタルマスクに押し付ける従来のものに比べ、厚さにバラツキがあるワークであっても、マスク版に対する押し付け力は、ワークの印刷面と反対の押し面側が基準とならず、均一な厚さの導体ペーストを焼成などの加熱処理することで、均一な厚さの電極を積層形成することができる。
このため、塗布厚さが必要以上に厚くなることから生じる電極のひび割れや剥離の発生を防止できる。また、熱電変換素子などのように、電極が形成されたワークＷを複数のエレメントに切断分離しても、エレメント毎に電極の厚さが均一になるため、性能に悪影響を防止できる。それにより、電極形成の制御性及び再現性の向上が図れる。
さらに、厚さにバラツキがあるワークであっても、ワークの印刷面がマスク版に沿って平行に密着するため、両者間に隙間が生じることを防止でき、印刷パターンをマスク版の開口部と正確に一致させることができて、印刷精度の向上が図れる。
また、ワークは、印刷面及び押し面が平行となるように切削、研削、ラップなどの精密加工が必要ないから、電極形成に要する時間の短縮化とコストの低減化が図れる。このため、ワークとして焼結体などの厚さにバラツキが発生し易いものの場合に有効である。
【図面の簡単な説明】
【０００８】
【図１】本発明の実施形態に係る電極印刷装置及び電極印刷方法の全体構成を示す説明図であり、（ａ）が印刷前の縦断正面図、（ｂ）が印刷後の縦断正面図である。
【図２】本発明の他の実施例に係る電極印刷装置及び電極印刷方法の全体構成を示す説明図であり、（ａ）が印刷前の縦断正面図、（ｂ）が印刷後の縦断正面図である。
【発明を実施するための形態】
【０００９】
以下、本発明の実施形態を図面に基づいて詳細に説明する。
本発明の実施形態に係る電極印刷装置Ａ及び電極印刷方法は、ワークＷの印刷面Ｗ１及び押し面Ｗ２の両方か、又は印刷面Ｗ１若しくは押し面Ｗ２のいずれか一方に電極を印刷して積層形成する装置及び方法である。
詳しく説明すると、本発明の実施形態に係る電極印刷装置Ａは、ワークＷの印刷面Ｗ１と対向するようにＺ方向へ設けられるマスク版１と、マスク版１に向けワークＷを押し付けるためにワークＷの印刷面Ｗ１と反対の押し面Ｗ２側とＺ方向へ接触するように設けられる押し付け手段２と、ワークＷの印刷面Ｗ１に電極用の導体ペーストＰを塗布するためにマスク版１に沿ってＸ方向へ移動自在に設けられる塗布手段３と、マスク版１及び押し付け手段２が設置される装置本体４と、を主要な構成要素として備えている。
【００１０】
ワークＷは、円柱体や角柱状などの形状に形成され、その平滑な一対の端面のうちいずれか一方の表側を印刷面Ｗ１とし、他方の裏側を押し面Ｗ２としている。
特に、ワークＷとしては、印刷面Ｗ１と押し面Ｗ２が完全な平行でなくいずれか一方が他方に対し傾斜する可能性が高い、例えば焼結体などを用いることが好ましい。この焼結体からなるデバイスの一例としては、放電プラズマ焼結法（ＳＰＳ法）やその他の焼結法などで形成された熱電変換素子などが挙げられる。
さらに、ワークＷは、装置本体４においてマスク版１と押し付け手段２の間にＺ方向へ挟まれるように配置され、印刷面Ｗ１を後述するマスク版１の裏面（下面）１ａと接触させ、押し面Ｗ２側を後述する押し付け手段２と接触させて着脱自在にセットしている。
【００１１】
マスク版１は、ステンレスやその他の金属や硬質合成樹脂などで板状に形成され、その所定位置には、印刷パターンとなる任意形状の開口部１ｂが開穿されている。
さらに、マスク版１は、装置本体４に対しＺ方向及びＸＹ方向へ移動不能で且つ着脱自在に取り付けられている。
マスク版１の具体例としては、図示される例のように、ステンレスなどの金属で形成されたメタルマスクを用い、装置本体４に設けられる支持枠４ａでＸＹ方向へ囲むとともに、土台４ｂの上に載置することにより、メタルマスクをＸＹ方向及びＺ方向へ移動不能に位置決めすることが好ましい。
また、その他の例として図示しないが、マスク版１として、メタルマスク以外のものを用いたり、図示例とは異なる構造でマスク版１を装置本体４に対しＸＹ方向及びＺ方向へ移動不能に位置決めしたり変更することも可能である。
【００１２】
押し付け手段２は、直線方向へ伸縮するバネのような弾性部材やアクチュエーターなどで構成され、装置本体４に対しＺ方向へ伸縮するように設置されている。押し付け手段２の伸縮でワークＷの押し面Ｗ２側をマスク版１に向けて押し付けることにより、ワークＷの印刷面Ｗ１がマスク版１の裏面１ａと接触するように構成されている。
装置本体４に対して押し付け手段２は、ワークＷの数と同数配置され、ワークＷが複数の時には、複数の押し付け手段２をワークＷに対応してそれぞれ個別に配置している。
すなわち、単数のワークＷに電極を印刷形成する場合には、装置本体４に一つの押し付け手段２が配置されて、セットされた一つのワークＷをマスク版１に向け押し付ける。
また、複数のワークＷに電極を同時に印刷する場合には、装置本体４に複数の押し付け手段２が配置されて、セットされた複数のワークＷをそれぞれマスク版１に向け押し付ける。
【００１３】
さらに、押し付け手段２は、ワークＷの押し面Ｗ２に倣って傾斜する押圧部２ａを有している。
押圧部２ａは、ワークＷの押し面Ｗ２と直接的か又は間接的に接触するように設けられ、これにより、装置本体４にセットされたワークＷの押し面Ｗ２全体の傾斜角度に倣って傾斜移動するか、又は弾性変形することによりワークＷの押し面Ｗ２全体の傾斜角度に倣って傾斜するように構成されている。
押し付け手段２の具体例としては、図示される例のように、マスク版１に対するワークＷの押し付け方向（Ｚ方向）へ伸縮変形する弾性体２ｂを有することが好ましい。
弾性体２ｂは、装置本体４に設けられる底面部４ｃに対し、Ｚ方向へ寸法調整可能か又はＺ方向への寸法が異なる複数種類の台座４ｄを介して配設することにより、ワークＷのサイズ変更によりＺ方向への厚さが変化した場合には、台座４ｄを寸法調整するか、又は最適なＺ方向寸法の台座４ｄに交換することで、弾性体２ｂによるマスク版１へ向かうワークＷの押し付け力がワークＷのサイズ変更と関係なく一定になるように設定している。
また、その他の例として図示しないが、図示例とは異なる構造で弾性体２ｂによるマスク版１へ向かうワークＷの押し付け力がワークＷのサイズ変更と関係なく一定になるように設定したり、押し付け手段２を弾性体２ｂに代えてＺ方向へ伸縮移動するアクチュエーターなどで構成したり変更することも可能である。
【００１４】
塗布手段３は、スクリーン印刷などの印刷法を用い、マスク版１の表面（上面）１ｃに沿ってＸ方向又はＹ方向へ移動自在に設置されるスキージ３ａと、はんだペーストなどの導体ペーストＰの供給部（図示しない）などを有するクリームはんだ塗布装置である。スキージ３ａをマスク版１の表面１ｃに沿って移動させることにより、導体ペーストＰがマスク版１の開口部１ｂを通して押し出され、ワークＷの印刷面Ｗ１に導体ペーストＰを所定厚さで塗り込むように構成されている。
導体ペーストＰの具体例として、ワークＷが熱電変換素子などの焼結体である場合には、ニッケルなどを用いることが好ましい。
スキージ３ａの作動方法としては、アクチュエーターなどの駆動源（図示しない）で自動的に作動制御することが好ましい。スキージ３ａの駆動源は、コントローラー（図示しない）と電気的に接続し、このコントローラーに予め設定されたプログラムに従って作動制御される。
また、その他の例として、スキージ３ａを手動で作動させることも可能である。
【００１５】
そして、プログラムの制御回路に設定されたプログラムを、本発明の実施形態に係る電極印刷方法として説明する。
本発明の実施形態に係る電極印刷方法は、マスク版１に向けワークＷの印刷面Ｗ１を押し付けるために印刷面Ｗ１と反対の押し面Ｗ２側と接触する押し付け手段２でＺ方向へ押し付ける押圧工程と、マスク版１に沿って塗布手段３のスキージ３ａをＸ方向へ移動させてワークＷの印刷面Ｗ１に電極用の導体ペーストＰを塗布する塗布工程と、この塗布された導体ペーストＰを焼成などの加熱処理することで変形不能な電極にする熱処理工程と、を主要な工程として含んでいる。
前記押圧工程では、ワークＷの数と同数配置された押し付け手段２の押圧部２ａを、ワークＷの印刷面Ｗ１と反対の押し面Ｗ２に倣って傾斜させ、ワークＷの印刷面Ｗ１がマスク版１の裏面１ａに沿って平行になるように押し付けている。
【００１６】
また、ワークＷの表裏両面に導体ペーストＰをそれぞれ塗布する場合には、前記押圧工程と前記塗布工程が行われた後に、ワークＷを表裏反転してセットし直し、その後に前記押圧工程と前記塗布工程を順次行う。
詳しく説明すると、装置本体４にワークＷの表面が印刷面Ｗ１となるようにセットし、この状態で塗布手段３のスキージ３ａによってワークＷの表面に導体ペーストＰが塗布された後に、装置本体４からワークＷを取り外す。この塗布した導体ペーストＰが硬化してから、ワークＷを表裏反転して装置本体４にワークＷの裏面が印刷面Ｗ１となるようにセットし直す。
これにより、既に導体ペーストＰが塗布硬化したワークＷの表面は、押し面Ｗ２となって押し付け手段２と接触する。これと反対側のワークＷの裏面は、印刷面Ｗ１となって押し付け手段２によりマスク版１の裏面１ａと接触する。この状態で塗布手段３のスキージ３ａによってワークＷの裏面にも同様に導体ペーストＰが塗布される。
【００１７】
このような本発明の実施形態に係る電極印刷装置Ａ及び電極印刷方法は、装置本体４にワークＷをセットすると、ワークＷの押し面Ｗ２側が全体的に押し付け手段２の押圧部２ａに接触し、押し面Ｗ２の傾斜角度に倣って押し付け手段２の押圧部２ａが傾斜する。
このため、マスク版１に対する押し付け手段２の押し付け力は、ワークＷの印刷面Ｗ１側が基準となり、ワークＷの印刷面Ｗ１がマスク版１の裏面１ａに沿って平行に密着する。
この密着状態で、塗布手段３のスキージ３ａをマスク版１の表面１ｃに沿って移動させると、導体ペーストＰがワークＷの印刷面Ｗ１に沿って均一な厚さで塗布される。
したがって、ワークＷの厚さにバラツキがあって不均一でも、ワークＷの印刷面Ｗ１に均一な厚さの導体ペーストＰを塗布することができる。
その結果、厚さにバラツキがあるワークＷであっても、マスク版１に対する押し付け力は、ワークＷの印刷面Ｗ１と反対の押し面Ｗ２側が基準とならず、均一な厚さの導体ペーストＰを焼成などの加熱処理することで、均一な厚さの電極を積層形成することができる。
このため、塗布厚さが必要以上に厚くなることから生じる電極のひび割れや剥離の発生を防止できる。また、熱電変換素子などのように、電極が形成されたワークＷを複数のエレメントに切断分離しても、エレメント毎に電極の厚さが均一になるため、性能に悪影響を防止できる。それにより、電極形成の制御性及び再現性の向上が図れる。
さらに、厚さにバラツキがあるワークＷであっても、ワークＷの印刷面Ｗ１がマスク版１に沿って平行に密着するため、両者間に隙間が生じることを防止でき、印刷パターンをマスク版１の開口部１ｂと正確に一致させることができて、印刷精度の向上が図れる。
また、ワークＷは、印刷面Ｗ１及び押し面Ｗ２が平行となるように切削、研削、ラップなどの精密加工が必要ないから、電極形成に要する時間の短縮化とコストの低減化が図れる。このため、ワークＷとして焼結体などの厚さにバラツキが発生し易いものの場合に有効である。
【００１８】
特に、押し付け手段２が、マスク版１に対するワークＷの押し付け方向（Ｚ方向）へ伸縮変形する弾性体２ｂを有する場合には、弾性体２ｂの弾性変形により、ワークＷの印刷面Ｗ１を常時マスク版１に向け押し付けるように付勢して、ワークＷの印刷面Ｗ１がマスク版１に沿って平行に密着する。
したがって、簡単な構造で厚さ寸法が不均一なワークＷの印刷面Ｗ１に均一な厚さの導体ペーストＰを塗布することができる。
その結果、押し付け手段２にアクチュエーターなどの駆動源が別個に必要ないため、メンテナンスフリーで且つコストの低減化が図れる。
【００１９】
さらに、前記押圧工程と前記塗布工程が行われた後に、ワークＷを表裏反転してセットし直し、その後に前記押圧工程と前記塗布工程を順次行う場合には、ワークＷの表面が印刷面Ｗ１となって導体ペーストＰが塗布された後に、ワークＷの裏面が印刷面Ｗ１となって同様に導体ペーストＰが塗布される。
したがって、ワークＷの厚さにバラツキがあっても、それに影響を受けることなく、ワークＷの印刷面Ｗ１と押し面Ｗ２の両方に均一な厚さの導体ペーストＰをそれぞれ塗布することができる。
その結果、両面塗布を簡単に行うことができて、コストの低減化が図れる。
【実施例１】
【００２０】
次に、本発明の各実施例を図面に基づいて説明する。
この実施例１は、図１（ａ）（ｂ）に示すように、複数のワークＷに対応して同数の押し付け手段２をそれぞれ個別に配置することにより、複数のワークＷに導体ペーストＰを同時に塗布するものである。
図１（ａ）（ｂ）に示される例では、複数（二つ）のワークＷをセットするために、複数（二つ）の押し付け手段２が装置本体４にＸ方向へそれぞれ所定間隔を空けて並列状に配置している。
また、その他の例として図示しないが、三つ以上のワークＷに対応して三つ以上の押し付け手段２を、装置本体４にＸ方向へ所定間隔毎に並列状に配置したり、複数（二つ以上）のワークＷに対応して複数（二つ以上）の押し付け手段２をＹ方向か又はＸＹ方向へそれぞれ所定間隔毎に並列状に配置したり、変更することも可能である。
【００２１】
さらに、図１（ａ）（ｂ）に示される例では、押し付け手段２が、押圧部２ａとスプリングバネなどの弾性体２ｂからなり、押圧部２ａが、弾性体２ｂの先端部２ｂ１に取り付けられる球状の支点２ａ１と、支点２ａ１を中心としてＺ方向へ揺動自在に支持される従動板２ａ２と、を有している。
従動板２ａ２は、装置本体４にセットされたワークＷの押し面Ｗ２と面接触するように配置される。これにより、従動板２ａ２は、押し面Ｗ２全体の傾斜角度に倣って揺動し、同じ傾斜角度になるように構成されている。
必要に応じて、従動板２ａ２には、装置本体４にセットされたワークＷの押し面Ｗ２を着脱自在で且つ移動不能に保持する位置決め手段（図示しない）を設けることが好ましい。位置決め手段の具体例としては、真空吸着や粘着材による保持機構などが挙げられる。
また、その他の例として図示しないが、押圧部２ａとして、球状の支点２ａ１や従動板２ａ２に代え、装置本体４にセットされたワークＷの押し面Ｗ２に対し、弾性体２ｂの先端部２ｂ１を直接接触させることで、押圧部２ａとなる弾性体２ｂの先端部２ｂ１がワークＷの押し面Ｗ２の傾斜角度に倣って弾性変形し傾斜するように構成したり、スプリングバネなどの弾性体２ｂに代えてＺ方向へ伸縮移動するアクチュエーターを配備したり変更することも可能である。
【００２２】
このような本発明の実施例１に係る電極印刷装置Ａ及び電極印刷方法によると、複数のワークＷに対応して同数の押し付け手段２をそれぞれ個別に配置するため、複数のワークＷに導体ペーストＰが同時に塗布される。
したがって、厚さ寸法が不均一な複数のワークＷの印刷面Ｗ１に均一な厚さの導体ペーストＰを効率良く塗布することができる。
その結果、短時間に大量のワークＷに電極を形成できて作業性に優れ、大量生産が図れるという利点がある。
【実施例２】
【００２３】
この実施例２は、図２（ａ）（ｂ）に示すように、押し付け手段２が押圧部２ａとして、ワークＷの押し面Ｗ２全体の傾斜角度に倣って変形し傾斜する変形部材２ａ３を有する構成が、図１（ａ）（ｂ）に示した実施例１とは異なり、それ以外の構成は図１（ａ）（ｂ）に示した実施例１と同じものである。
変形部材２ａ３は、弾性変形可能なゴムやスポンジなどの発泡部材か又はゼリー状等の流動体を封入した変形可能なパックなどで構成されている。
【００２４】
図２（ａ）（ｂ）に示される例では、押し付け手段２が、押圧部２ａとなる変形部材２ａ３とスプリングバネなどの弾性体２ｂからなり、弾性体２ｂの先端部２ｂ１で変形部材２ａ３をワークＷに向け押し付けるように付勢して、変形部材２ａ３のワーク接触面がワークＷの押し面Ｗ２と面接触するように配置されている。これにより、変形部材２ａ３のワーク接触面は、押し面Ｗ２全体の傾斜角度に倣って揺動し、同じ傾斜角度になるように構成されている。
また、その他の例として図示しないが、スプリングバネなどの弾性体２ｂに代えてＺ方向へ伸縮移動するアクチュエーターを配備したり、スプリングバネなどの弾性体２ｂを設けずに、ゴムやスポンジなどの弾性変形可能な変形部材２ａ３を、装置本体４の底面部４ｃ又は台座４ｄとワークＷの押し面Ｗ２との間に配備したり変更することも可能である。
【００２５】
このような本発明の実施例２に係る電極印刷装置Ａ及び電極印刷方法によると、押し付け手段２における押圧部２ａの構造を簡素化できる。
それにより、図１（ａ）（ｂ）に示した実施例１よりも部品点数を減らしてコストの低減化が図れるという利点がある。
【００２６】
なお、前示実施例１，２では、複数のワークＷに対応して同数の押し付け手段２をそれぞれ個別に配置したが、これに限定されず、単数のワークＷに対応するように単数の押し付け手段２を配置しても良い。
【符号の説明】
【００２７】
Ａ  電極印刷装置                        １  マスク版
２  押し付け手段                        ２ａ  押圧部
３  塗布手段                            Ｐ  導体ペースト
Ｗ  ワーク                              Ｗ１  印刷面
Ｗ２  押し面
【図１】
2015157412.tif 000003
【図２】
2015157412.tif 000004